(57)【要約】【課題】ＵＥ１０ａ及び１０ｂ間でパケット通信を行う移動通信システムにおいて、エンド・ツー・エンドでのサービス品質をＵＥ１０ａ主導で改善可能とする。【解決手段】本発明では、ＵＥ１０ａが属するＥＰＳネットワーク１ａとＵＥ１０ｂが属するＥＰＳネットワーク１ｂとＰＤＮ２を介して、ＵＥ１０ａとＵＥ１０ｂとの間のパケット通信を行う。また、本発明では、ＵＥ１０ａにおいて、ＵＥ１０ａとＵＥ１０ｂとの間のエンド・ツー・エンドのサービス品質が所定レベルよりも劣化したことを検出し、ＵＥ１０ａにおいて前記サービス品質の劣化が検出された場合、ＥＰＳネットワーク１ａとＥＰＳネットワーク１ｂとＰＤＮ２を構成する複数のネットワーク区間の中から、エンド・ツー・エンドのサービス品質の劣化の原因となった品質劣化区間を特定し、特定された前記品質劣化区間の品質改善処理を行う。【選択図】図１
2011172063.tif 000002
【特許請求の範囲】
【請求項１】
第１移動端末が属する第１ネットワークと第２移動端末が属する第２ネットワークと前記第１ネットワーク及び前記第２ネットワークに接続された第３ネットワークを介して、前記第１移動端末と前記第２移動端末との間のパケット通信を行う移動通信方法であって、
前記第１移動端末において、該第１移動端末と前記第２移動端末との間のエンド・ツー・エンドのサービス品質が所定レベルよりも劣化したことを検出する検出工程と、
前記第１移動端末において前記サービス品質の劣化が検出された場合、前記第１ネットワークと前記第２ネットワークと前記第３ネットワークとを構成する複数のネットワーク区間の中から、前記サービス品質の劣化の原因となった品質劣化区間を特定する特定工程と、
特定された前記品質劣化区間の品質改善処理を行う改善処理工程と、
を有することを特徴とする移動通信方法。
【請求項２】
前記第１移動端末における前記サービス品質は、前記第１移動端末のユーザの体感品質と、エンド・ツー・エンドのネットワーク品質とを含み、
前記第１移動端末において、前記体感品質及び前記ネットワーク品質の双方が所定レベルよりも劣化したことが検出された場合、前記特定工程において、前記複数のネットワーク区間の中から前記品質劣化区間を特定することを特徴とする請求項１に記載の移動通信方法。
【請求項３】
前記ネットワーク品質は、有線区間のネットワーク品質を示す有線ネットワーク品質及び無線区間のネットワーク品質を示す無線ネットワーク品質を含み、
前記第１移動端末において、前記体感品質と前記有線ネットワーク品質と前記無線ネットワーク品質との各々が所定レベルよりも劣化したことが検出された場合、前記特定工程において、前記複数のネットワーク区間の全ての中から前記品質劣化区間を特定することを特徴とする請求項２に記載の移動通信方法。
【請求項４】
前記第１移動端末において、前記体感品質と前記有線ネットワーク品質との各々が所定レベルよりも劣化したことが検出されたが、前記無線ネットワーク品質が所定レベルよりも劣化したことが検出されなかった場合、前記特定工程において、前記複数のネットワーク区間内の有線区間の中から前記品質劣化区間を特定することを特徴とする請求項３に記載の移動通信方法。
【請求項５】
前記特定工程において、
前記第１移動端末は、前記第１ネットワークを構成する各ネットワーク区間を管理するネットワーク装置に対して、順次、各ネットワーク区間のネットワーク品質の測定を要求することによって、前記第１ネットワーク内の品質劣化区間を特定し、
前記第１ネットワーク内で前記品質劣化区間が特定されなかった場合、前記第２移動端末は、前記第１移動端末からの前記品質劣化区間の特定要求に応じて、前記第２ネットワークを構成する各ネットワーク区間を管理するネットワーク装置に対して、順次、各ネットワーク区間のネットワーク品質の測定を要求することによって、前記第２ネットワーク内の品質劣化区間を特定し、
前記第１ネットワーク及び前記第２ネットワーク内で前記品質劣化区間が特定されなかった場合、前記第１移動端末は、前記第３ネットワークを品質劣化区間として特定することを特徴とする請求項１乃至４のいずれか一項に記載の移動通信方法。
【請求項６】
前記改善処理工程において、
前記第１ネットワーク内で前記品質劣化区間が特定された場合、前記第１移動端末は、該品質劣化区間を管理するネットワーク装置に対して、該品質劣化区間の品質改善を要求し、
前記第１移動端末からの前記特定要求に応じて前記第２ネットワーク内で前記品質劣化区間が特定された場合、前記第２移動端末が、該品質劣化区間を管理するネットワーク装置に対して、該品質劣化区間の品質改善を要求し、
前記第１ネットワーク及び前記第２ネットワーク内で前記品質劣化区間が特定されなかった場合、前記第１移動端末が、前記第３ネットワークを管理するネットワーク装置に対して、前記第３ネットワークの品質改善を要求することを特徴とする請求項１乃至５のいずれか一項に記載の移動通信方法。
【請求項７】
前記改善処理工程において、
前記第１ネットワーク内で前記品質劣化区間が特定された場合、前記第１移動端末は、前記第１ネットワーク内の移動管理ノードを介して、該品質劣化区間を管理するネットワーク装置に対して、該品質劣化区間に対応するベアラの再設定を要求することによって、該品質劣化区間の品質改善を要求し、
前記第１移動端末からの前記特定要求に応じて前記第２ネットワーク内で前記品質劣化区間が特定された場合、前記第２移動端末は、前記第２ネットワーク内の移動管理ノードを介して、該品質劣化区間を管理するネットワーク装置に対して、該品質劣化区間に対応するベアラの再設定を要求することによって、該品質劣化区間の品質改善を要求し、
前記第１ネットワーク及び前記第２ネットワーク内で前記品質劣化区間が特定されなかった場合、前記第１移動端末は、前記第３ネットワークを管理するネットワーク装置に対して、前記第３ネットワークに対応するベアラの再設定を要求することによって、前記第３ネットワークの品質改善を要求することを特徴とする請求項６に記載の移動通信方法。
【請求項８】
自端末が属する第１ネットワークと他の移動端末が属する第２ネットワークと前記第１ネットワーク及び前記第２ネットワークに接続された第３ネットワークを介して、前記他の移動端末とのパケット通信を行う移動端末であって、
前記他の移動端末との間のエンド・ツー・エンドのサービス品質が所定レベルよりも劣化したことを検出する検出部と、
前記検出部によって前記サービス品質の劣化が検出された場合、前記第１ネットワークと前記第２ネットワークと前記第３ネットワークとを構成する複数のネットワーク区間の中から、前記サービス品質の劣化の原因となった品質劣化区間を特定する特定部と、
前記特定部によって前記第１ネットワーク内で前記品質劣化区間が特定された場合、前記品質劣化区間の品質改善を要求する要求部と、
を具備することを特徴とする移動端末。
【請求項９】
第１移動端末が属する第１ネットワークと第２移動端末が属する第２ネットワークと前記第１ネットワーク及び前記第２ネットワークに接続された第３ネットワークを介して前記第１移動端末と前記第２移動端末との間のパケット通信を行う移動通信システムにおいて、第１ネットワーク及び第２ネットワークを構成する複数のネットワーク区間のうちの一のネットワーク区間を管理するネットワーク装置であって、
前記第１移動端末又は前記第２移動端末からの該一のネットワーク区間の品質改善要求を受信する受信部と、
前記受信部によって受信された品質改善要求に応じて、該一のネットワーク区間の品質改善処理を行う品質改善処理部と、
を具備することを特徴とするネットワーク装置。
【請求項１０】
第１移動端末が属する第１ネットワークと第２移動端末が属する第２ネットワークと前記第１ネットワーク及び前記第２ネットワークに接続された第３ネットワークを介して前記第１移動端末と前記第２移動端末との間のパケット通信を行う移動通信システムにおいて、前記第３ネットワークを管理するネットワーク装置であって、
前記第１移動端末からの前記第３ネットワークの品質改善要求を受信する受信部と、
前記受信部によって受信された品質改善要求に応じて、前記第３ネットワークの品質改善処理を行う品質改善処理部と、
を具備することを特徴とするネットワーク装置。
【発明の詳細な説明】
【技術分野】
【０００１】
本発明は、第１移動端末が属する第１ネットワークと第２移動端末が属する第２ネットワークと前記第１ネットワーク及び前記第２ネットワークに接続された第３ネットワークを介して、第１移動端末と第２移動端末との間のパケット通信を行う移動通信方法、移動端末及びネットワーク装置に関する。
【背景技術】
【０００２】
従来、一方の移動端末が属するＥＰＳ（Ｅｖｏｌｖｅｄ  Ｐａｃｋｅｔ  Ｓｙｓｔｅｍ）ネットワーク、他方の移動端末が属するＥＰＳネットワーク、双方のＥＰＳネットワークの間に設けられたＰＤＮ（Ｐａｃｋｅｔ  Ｄａｔａ  Ｎｅｔｗｏｒｋ）と、を介して、ＶｏＩＰ（Ｖｏｉｃｅ  ｏｖｅｒ  Ｉｎｔｅｒｎｅｔ  Ｐｒｏｔｏｃｏｌ）などの移動端末間のパケット通信を行う移動通信システムが知られている（例えば、非特許文献１）。
【０００３】
かかる移動通信システムでは、双方のＥＰＳネットワーク及びＰＤＮを構成する各ネットワーク装置が、自身の管理するネットワーク区間の品質管理を自律的に行うことによって、移動端末におけるエンド・ツー・エンドでのサービス品質を確保している。
【先行技術文献】
【非特許文献】
【０００４】
【非特許文献１】３ＧＰＰ，ＴＳ２３．４０１
【発明の概要】
【発明が解決しようとする課題】
【０００５】
しかしながら、上述の移動通信システムでは、移動端末におけるエンド・ツー・エンドでのサービス品質が満たされていない場合であっても、移動端末は、当該サービス品質の劣化の原因となったネットワーク区間を特定することができないため、エンド・ツー・エンドでのサービス品質を改善させることができないという問題点があった。
【０００６】
本発明は、かかる点に鑑みてなされたものであり、移動端末間でパケット通信を行う移動通信システムにおいて、エンド・ツー・エンドでのサービス品質を移動端末主導で改善可能な移動通信方法、移動端末及びネットワーク装置を提供することを目的とする。
【課題を解決するための手段】
【０００７】
本発明の第１の側面に係る移動通信方法は、第１移動端末が属する第１ネットワークと第２移動端末が属する第２ネットワークと前記第１ネットワーク及び前記第２ネットワークに接続された第３ネットワークを介して、前記第１移動端末と前記第２移動端末との間のパケット通信を行う移動通信方法であって、前記第１移動端末において、該第１移動端末と前記第２移動端末との間のエンド・ツー・エンドのサービス品質が所定レベルよりも劣化したことを検出する検出工程と、前記第１移動端末において前記サービス品質の劣化が検出された場合、前記第１ネットワークと前記第２ネットワークと前記第３ネットワークとを構成する複数のネットワーク区間の中から、前記サービス品質の劣化の原因となった品質劣化区間を特定する特定工程と、特定された前記品質劣化区間の品質改善処理を行う改善処理工程と、を有する。
【０００８】
この構成によれば、第１移動端末において、エンド・ツー・エンドのサービス品質が所定レベルよりも劣化したことが検出された場合、第１ネットワークと第２ネットワークと第３ネットワークとを構成する複数のネットワーク区間の中から、当該サービス品質の劣化の原因となった品質劣化区間を特定し、該品質劣化区間の品質改善処理を行うことができるので、第１移動端末主導でエンド・ツー・エンドのサービス品質を改善することができる。
【０００９】
本発明の第２の側面に係る移動端末は、自端末が属する第１ネットワークと他の移動端末が属する第２ネットワークと前記第１ネットワーク及び前記第２ネットワークに接続された第３ネットワークを介して、前記他の移動端末とのパケット通信を行う移動端末であって、前記他の移動端末との間のエンド・ツー・エンドのサービス品質が所定レベルよりも劣化したことを検出する検出部と、前記検出部によって前記サービス品質の劣化が検出された場合、前記第１ネットワークと前記第２ネットワークと前記第３ネットワークとを構成する複数のネットワーク区間の中から、前記サービス品質の劣化の原因となった品質劣化区間を特定する特定部と、前記特定部によって前記第１ネットワーク内で前記品質劣化区間が特定された場合、前記品質劣化区間の品質改善を要求する要求部と、を具備する。
【００１０】
本発明の第３の側面に係るネットワーク装置は、第１移動端末が属する第１ネットワークと第２移動端末が属する第２ネットワークと前記第１ネットワーク及び前記第２ネットワークに接続された第３ネットワークを介して前記第１移動端末と前記第２移動端末との間のパケット通信を行う移動通信システムにおいて、第１ネットワーク及び第２ネットワークを構成する複数のネットワーク区間のうちの一のネットワーク区間を管理するネットワーク装置であって、前記第１移動端末又は前記第２移動端末からの該一のネットワーク区間の品質改善要求を受信する受信部と、前記受信部によって受信された品質改善要求に応じて、該一のネットワーク区間の品質改善処理を行う品質改善処理部と、を具備する。
【００１１】
本発明の第４の側面に係るネットワーク装置は、第１移動端末が属する第１ネットワークと第２移動端末が属する第２ネットワークと前記第１ネットワーク及び前記第２ネットワークに接続された第３ネットワークを介して前記第１移動端末と前記第２移動端末との間のパケット通信を行う移動通信システムにおいて、前記第３ネットワークを管理するネットワーク装置であって、前記第１移動端末からの前記第３ネットワークの品質改善要求を受信する受信部と、前記受信部によって受信された品質改善要求に応じて、前記第３ネットワークの品質改善処理を行う品質改善処理部と、を具備する。
【発明の効果】
【００１２】
本発明によれば、移動端末間でパケット通信を行う移動通信システムにおいて、エンド・ツー・エンドでのサービス品質を移動端末主導で改善可能な移動通信方法、移動端末及びネットワーク装置を提供できる。
【図面の簡単な説明】
【００１３】
【図１】本発明の第１の実施形態に係る移動通信システムの概略構成図である。
【図２】本発明の第１の実施形態に係る移動通信システムのプロトコル構成を示す図である。
【図３】本発明の第１の実施形態に係る移動通信システムの機能構成図である。
【図４】本発明の第１の実施形態に係る移動通信システムの動作を示すフローチャートである。
【図５】本発明の第１の実施形態に係る移動通信システムの動作を示すフローチャートである。
【図６】本発明の第１の実施形態に係る移動通信システムの動作を示すシーケンス図である。
【図７】本発明の第１の実施形態に係る移動通信システムの動作を示すシーケンス図である。
【図８】本発明の第２の実施形態に係る移動通信システムの動作を示すフローチャートである。
【発明を実施するための形態】
【００１４】
以下、本発明の実施形態について説明する。なお、以下の図面の記載において、同一または類似の部分には、同一または類似の符号を付している。
【００１５】
［第１の実施形態］
＜移動通信システムの全体概略構成＞
図１は、第１の実施形態に係る移動通信システムの構成を示す図である。なお、図１において、各ネットワークを構成するネットワーク装置を接続する実線は、制御信号及びユーザ信号の双方が送受信されることを示し、破線は、制御信号のみが送受信されることを示している。
【００１６】
図１に示すように、移動通信システムでは、ＵＥ（Ｕｓｅｒ  Ｅｑｕｉｐｍｅｎｔ）１０ａとＵＥ１０ｂとの間のパケット通信が、ＵＥ１０ａの属するＥＰＳ（Ｅｖｏｌｖｅｄ  Ｐａｃｋｅｔ  ｓｙｓｔｅｍ）ネットワーク１ａ（第１ネットワーク）と、ＵＥ１０ｂが属するＥＰＳネットワーク１ｂ（第２ネットワーク）と、ＥＰＳネットワーク１ａ及び１ｂに接続されたＩＰサービスネットワークであるＰＤＮ（Ｐａｃｋｅｔ  Ｄａｔａ  Ｎｅｔｗｏｒｋ）２（第３ネットワーク）とを介して、行われる。
【００１７】
ＥＰＳネットワーク１ａは、ＬＴＥ方式の無線アクセスネットワークであるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）３ａと、ＬＴＥ方式の無線アクセスネットワークに対応したパケット・コア・ネットワークであるＥＰＣ（Ｅｖｏｌｖｅｄ  Ｐａｃｋｅｔ  Ｃｏｒｅ）ネットワーク４ａとから構成される。
【００１８】
Ｅ−ＵＴＲＡＮ３ａは、例えば、携帯電話端末、ノートパソコン、携帯型ゲーム機などの移動端末であるＵＥ１０ａと、ＬＴＥ方式に対応した無線基地局であるｅＮＢ（ｅＮｏｄｅＢ）２０ａとから構成される。
【００１９】
Ｅ−ＵＴＲＡＮ３ａでは、ＵＥ１０ａが、ＬＴＥ−Ｕｕインタフェースを介してｅＮＢ２０ａに接続される。ｅＮＢ２０ａは、Ｓ１−ＭＭＥインタフェースを介して後述するＥＰＣネットワーク４ａのＭＭＥ３０ａに接続されるとともに、Ｓ１−Ｕインタフェースを介して後述するＥＰＣネットワーク４ａのＳ−ＧＷ４０ａに接続される。
【００２０】
ＥＰＣネットワーク４ａは、ＵＥ１０ａの移動管理やセッション管理を行うＭＭＥ（Ｍｏｂｉｌｉｔｙ  Ｍａｎａｇｅｍｅｎｔ  Ｅｎｔｉｔｙ）３０ａと、Ｅ−ＵＴＲＡＮ３ａとＥＰＣネットワーク４ａとの接続点となるＳ−ＧＷ（Ｓｅｒｖｉｎｇ−Ｇａｔｅｗａｙ）４０ａと、ＰＤＮ２との接続点となるＰ−ＧＷ（ＰＤＮ−Ｇａｔｅｗａｙ）５０ａとから構成される。
【００２１】
ＥＰＣネットワーク４ａでは、ＭＭＥ３０ａが、Ｓ１１インタフェースを介してＳ−ＧＷ４０ａに接続される。Ｓ−ＧＷ４０ａは、Ｓ５／Ｓ８インタフェースを介してＰ−ＧＷ５０ａに接続される。Ｐ−ＧＷ５０ａは、ＳＧｉインタフェースを介して、ＰＤＮ２のルータであるＥＲ（Ｅｄｇｅ  Ｒｏｕｔｅｒ）６０ａに接続される。Ｓ５／Ｓ８インタフェースの信号プロトコルとしては、ＧＴＰ（ＧＰＲＳ  Ｔｕｎｎｅｌｉｎｇ  Ｐｒｏｔｏｃｏｌ）プロトコル、ＰＭＩＰｖ６（Ｐｒｏｘｙ  Ｍｏｂｉｌｅ  ＩＰｖ６）プロトコルのいずれが用いられてもよい。
【００２２】
ＥＰＳネットワーク１ｂは、上述のＥＰＳネットワーク１ａと同様に構成されるため、説明を省略する。以下、ＥＰＳネットワーク１ａ及び１ｂ、Ｅ−ＵＴＲＡＮ３ａ及び３ｂ、ＥＰＣネットワーク４ａ及び４ｂ、ＵＥ１０ａ及び１０ｂ、ｅＮＢ２０ａ及び２０ｂ、ＭＭＥ３０ａ及び３０ｂ、Ｓ−ＧＷ４０ａ及び４０ｂ、Ｐ−ＧＷ５０ａ及び５０ｂ、ＥＲ６０ａ及び６０ｂを区別しない場合は、ＥＰＳネットワーク１、Ｅ−ＵＴＲＡＮ３、ＥＰＣネットワーク４、ＵＥ１０、ｅＮＢ２０、ＭＭＥ３０、Ｓ−ＧＷ４０、Ｐ−ＧＷ５０、ＥＲ６０と総称する。
【００２３】
なお、図示しないが、本発明は、ＥＰＳネットワーク１の代わりに、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワークを用いて実現することも可能である。ＵＭＴＳネットワークは、ＵＭＴＳ方式の無線アクセスネットワークであるＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と、ＵＴＲＡＮに対応したパケット・コア・ネットワークであるＣＮ（Ｃｏｒｅ  Ｎｅｔｗｏｒｋ）とから構成される。
【００２４】
また、本発明は、Ｅ−ＵＴＲＡＮ３の代わりに、ＵＴＲＡＮを用いて実現することも可能である。ＵＴＲＡＮは、ＵＥ１０と、ＵＭＴＳ方式の無線基地局であるＮＢ（ＮｏｄｅＢ）と、ＲＮＣ（Ｒａｄｉｏ  Ｎｅｔｗｏｒｋ  Ｃｏｎｔｒｏｌｌｅｒ）と、パケットアクセス制御ノードであるＳＧＳＮ（Ｓｅｒｖｉｎｇ  ＧＰＲＳ  Ｓｕｐｐｏｒｔ  Ｎｏｄｅ）とから構成される。ＵＴＲＡＮに属するＵＥ１０は、ＵＥ１０とＮＢとの間のＵｕインタフェース、ＮＢとＲＮＣとの間のＩｕｂインタフェース、ＲＮＣとＳＧＳＮとの間のＩｕインタフェース、ＳＧＳＮとＳ−ＧＷ４０との間のＳ４インタフェースを介して、ＥＰＣネットワーク４に接続される。
【００２５】
次に、以上のように構成される移動通信システムのプロトコル構成を説明する。図２は、第１の実施形態に係る移動通信システムのプロトコル構成を示す図である。図２において、実線は、対応するプロトコルの品質劣化を検出可能であることを示し、破線は、当該品質劣化を検出不可能であることを示す。
【００２６】
図２に示すように、移動通信システムを構成する各ネットワーク装置は、自装置で終端するプロトコルの品質劣化を検出できる。例えば、ＵＥ１０間で終端するＲＴＰ（Ｒｅａｌ−ｔｉｍｅ  Ｔｒａｎｓｐｏｒｔ  Ｐｒｏｔｏｃｏｌ）プロトコルの品質劣化は、ＵＥ１０によって検出される。また、ＵＥ１０とｅＮＢ２０との間で終端するＲＬＣ（Ｒａｄｉｏ  Ｌｉｎｋ  Ｃｏｎｔｒｏｌ）プロトコル及びＰＤＣＰ（Ｐａｃｋｅｔ  Ｄａｔａ  Ｃｏｎｖｅｒｇｅｎｃｅ  Ｐｒｏｔｏｃｏｌ）プロトコルの品質劣化は、ＵＥ１０又はｅＮＢ２０によって検出される。
【００２７】
また、Ｓ５／Ｓ８インタフェースでＧＴＰプロトコルが用いられる場合、ｅＮＢ２０とＰ−ＧＷ５０との間で終端するＧＴＰ−Ｕ（Ｕｓｅｒ  Ｐｌａｎｅ）プロトコルの品質劣化は、ｅＮＢ２０又はＰ−ＧＷ５０によって検出される。一方、図示しないが、Ｓ５／Ｓ８インタフェースでＰＭＩＰｖ６プロトコルが用いられる場合、ｅＮＢ２０とＳ−ＧＷ４０との間で終端するＧＴＰ−Ｕプロトコルの品質劣化は、ｅＮＢ２０又はＳ−ＧＷ４０によって検出され、Ｓ−ＧＷ４０とＰ−ＧＷ５０との間で終端するＰＭＩＰｖ６プロトコルの品質劣化は、Ｓ−ＧＷ４０又はＰ−ＧＷ５０によって検出される。
【００２８】
以上のように、第１の実施形態に係る移動通信システムでは、各ネットワーク装置は、自装置で終端するプロトコルの品質劣化を検出し、自身の管理するネットワーク区間の品質管理を自律的に行っている。本発明は、このような移動通信システムのＵＥ１０において、エンド・ツー・エンドのサービス品質の劣化が検出された場合に、ＵＥ１０主導で、当該サービス品質の劣化の原因となった品質劣化区間を特定し、当該品質劣化区間を管理するネットワーク装置に対して当該品質劣化区間の改善処理を要求する。この結果、本発明では、ＵＥ１０主導でエンド・ツー・エンドのサービス品質の品質改善を行うことができる。
【００２９】
次に、第１の実施形態に係る移動通信システムを構成する各ネットワーク装置の構成を説明する。各ネットワーク装置は、物理的には、アンテナ、変復調器、ＣＰＵ、メモリなどを備えた装置である。図３は、第１の実施形態に係る移動通信システムの各ネットワーク装置の機能構成図である。
【００３０】
＜ＵＥの構成＞
図３に示すように、ＵＥ１０は、無線通信部１１、品質劣化検出部１２、劣化区間特定部１３、品質制御要求部１４を具備する。
【００３１】
無線通信部１１は、ＬＴＥ−Ｕｕインタフェースを介してｅＮＢ２０と無線信号を送受信する。また、無線通信部１１は、送受信データについて、コーデック処理（圧縮・符号化処理及び伸張・復号化処理）、変復調処理などを行う。
【００３２】
品質劣化検出部１２（検出部）は、エンド・ツー・エンドのサービス品質が所定レベルよりも劣化したことを検出する。ここで、エンド・ツー・エンドのサービス品質とは、ＵＥ１０のユーザの体感品質（ＱｏＥ：Ｑｕａｌｉｔｙ  ｏｆ  Ｅｘｐｅｒｉｅｎｃｅ）と、エンド・ツー・エンドでのネットワーク品質（ＱｏＳ：Ｑｕａｌｉｔｙ  ｏｆ  Ｅｘｐｅｒｉｅｎｃｅ）とを含むものである。
【００３３】
ユーザの体感品質（ＱｏＥ）とは、ユーザから見たサービス品質の尺度である。品質劣化検出部１２は、例えば、ユーザの視覚や聴覚（例えば、ユーザによる品質劣化ボタンの押下）と、メディア信号の歪みやノイズなどのメディア品質との少なくとも１つに基づいて、ユーザの体感品質の劣化を検出する。
【００３４】
また、エンド・ツー・エンドでのネットワーク品質（ＱｏＳ）とは、サービス提供者（通信事業者）から見たネットワーク性能の尺度である。品質劣化検出部１２は、例えば、パケット誤り率（ＰＥＲ：Ｐａｃｋｅｔ  Ｅｒｒｏｒ  Ｒａｔｅ）、遅延時間、ジッタ、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＳＮＲ（Ｓｉｇｎａｌ−Ｎｏｉｓｅ  Ｒａｔｉｏ）、パケット損失率（ＰＬＲ：Ｐａｃｋｅｔ  Ｌｏｓｓ  Ｒａｔｅ）、パケット到着順序逆転率（ＰＲＲ：Ｐａｃｋｅｔ  Ｒｅｏｒｄｅｒｉｎｇ  Ｒａｔｅ）の少なくとも１つに基づいて、エンド・ツー・エンドでのネットワーク品質の劣化を検出する。
【００３５】
劣化区間特定部１３（特定部）は、品質劣化検出部１２によってエンド・ツー・エンドのサービス品質の劣化が検出された場合、相手先のＵＥ１０までの複数のネットワーク区間の中から、当該サービス品質の劣化の原因となった品質劣化区間を特定する。
【００３６】
具体的には、劣化区間特定部１３は、自端末が属するＥＰＳネットワーク１を管理する各ネットワーク装置（すなわち、ｅＮＢ２０、Ｓ−ＧＷ４０）に対して、順次、各ネットワーク装置が管理するネットワーク区間のネットワーク品質の測定を要求する。劣化区間特定部１３は、各ネットワーク装置が管理するネットワーク区間のネットワーク品質の測定結果に基づいて、品質劣化区間を特定する。
【００３７】
また、劣化区間特定部１３は、相手先のＵＥ１０に対して、相手先のＵＥ１０が属するＥＰＳネットワーク１内の品質劣化区間を特定するように要求する。
【００３８】
品質制御要求部１４（要求部）は、劣化区間特定部１３によって特定された品質劣化区間の品質改善を要求する。具体的には、品質制御要求部１４は、劣化区間特定部１３によって自端末が属するＥＰＳネットワーク１内で品質劣化区間が特定された場合、該品質劣化区間を管理するネットワーク装置に対して、該品質劣化区間の品質改善（例えば、該品質劣化区間に対応するベアラの再設定）を要求する。
【００３９】
また、品質制御要求部１４は、劣化区間特定部１３によって自端末が属するＥＰＳネットワーク１及び相手先のＵＥ１０が属するＥＰＳネットワーク１のいずれでも品質劣化区間が特定されなかった場合、ＰＤＮ２を管理するＰ−ＧＷ５０に対して、ＰＤＮ２の品質改善（例えば、ＰＤＮ２に対応するベアラの再設定）を要求する。
【００４０】
＜ｅＮＢの構成＞
ｅＮＢ２０は、通信部２１、品質測定部２２、ベアラ再設定部２３を具備する。
【００４１】
通信部２１（受信部）は、ＬＴＥ−Ｕｕインタフェースを介してＵＥ１０と無線信号を送受信する。また、通信部２１は、Ｓ１−ＭＭＥインタフェースを介してＭＭＥ３０と信号を送受信するとともに、Ｓ１−Ｕインタフェースを介してＳ−ＧＷ４０と信号を送受信する。
【００４２】
品質測定部２２は、通信部２１によって自局が管理するネットワーク区間（Ｓ１−Ｕインタフェース）のネットワーク品質の測定要求がＵＥ１０から受信された場合、該測定要求に応じて、Ｓ−１Ｕインタフェースのネットワーク品質を測定し、測定結果をＵＥ１０に通知する。
【００４３】
ベアラ再設定部２３は、通信部２１によって自局が管理するネットワーク区間（ＬＴＥ−Ｕｕインタフェース）に対応する無線ベアラの再設定要求がＭＭＥ３０から受信された場合、該再設定要求に応じてＵＥ１０との間で無線ベアラの再設定処理を行う。なお、ベアラ再設定部２３は、無線ベアラの再設定処理として、無線ベアラのパラメータの更新処理を行ってもよいし、新たな無線ベアラの設定処理を行ってもよい。
【００４４】
＜ＭＭＥの構成＞
ＭＭＥ３０は、通信部３１、品質制御部３２を具備する。
【００４５】
通信部３１は、Ｓ１−ＭＭＥインタフェースを介してｅＮＢ２０と信号を送受信するとともに、Ｓ１１インタフェースを介してＳ−ＧＷ４０と信号を送受信する。
【００４６】
品質制御部３２は、ＵＥ１０からの品質劣化区間のネットワーク品質の改善要求に応じて、当該品質劣化区間を管理するネットワーク装置（すなわち、ｅＮＢ２０、Ｓ−ＧＷ４０）に対して、当該品質劣化区間のネットワーク品質の改善を要求する。具体的には、品質制御部３２は、ＵＥ１０からの品質劣化区間に対応するベアラ（すなわち、無線ベアラ、Ｓ１ベアラ、Ｓ５／Ｓ８ベアラ）の再設定要求に応じて、該品質劣化区間を管理するネットワーク装置に対して、当該ベアラの再設定を要求する。
【００４７】
＜Ｓ−ＧＷの構成＞
Ｓ−ＧＷ４０は、通信部４１、品質測定部４２、ベアラ再設定部４３を具備する。
【００４８】
通信部４１は、Ｓ１１インタフェースを介してＭＭＥ３０と信号を送受信するとともに、Ｓ５／Ｓ８インタフェースを介してＰ−ＧＷ５０と信号を送受信する。
【００４９】
品質測定部４２は、通信部４１によって自装置が管理するネットワーク区間（Ｓ５／Ｓ８インタフェース）のネットワーク品質の測定要求がＵＥ１０から受信された場合、該測定要求に応じて、Ｓ５／Ｓ８インタフェースのネットワーク品質を測定し、測定結果をＵＥ１０に通知する。
【００５０】
ベアラ再設定部４３は、通信部４１によって自局が管理するネットワーク区間（Ｓ１インタフェース）に対応するＳ１ベアラの再設定要求がＭＭＥ３０から受信された場合、該再設定要求に応じてｅＮＢ２０との間でＳ１ベアラの再設定処理を行う。なお、ベアラ再設定部４３は、Ｓ１ベアラの再設定処理として、Ｓ１ベアラのパラメータの更新処理を行ってもよいし、新たなＳ１ベアラの設定処理を行ってもよい。
【００５１】
また、ベアラ再設定部４３は、通信部４１によって自局が管理するネットワーク区間（Ｓ５／Ｓ８インタフェース）に対応するＳ５／Ｓ８ベアラの再設定要求がＭＭＥ３０から受信された場合、該再設定要求に応じてＰ−ＧＷ５０との間でＳ５／Ｓ８ベアラの再設定処理を行う。なお、ベアラ再設定部４３は、Ｓ５／Ｓ８ベアラの再設定処理として、Ｓ５／Ｓ８ベアラのパラメータの更新処理を行ってもよいし、新たなＳ５／Ｓ８ベアラの設定処理を行ってもよい。
【００５２】
＜Ｐ−ＧＷの構成＞
Ｐ−ＧＷ５０は、通信部５１、ＡＰＮ再設定部５２を具備する。
【００５３】
通信部５１は、Ｓ５／Ｓ８インタフェースを介してＳ−ＧＷ４０と信号を送受信するとともに、ＳＧｉインタフェースを介してＰＤＮ２のＥＲ６０と信号を送受信する。
【００５４】
ＡＰＮ再設定部５２は、通信部４１によって自局が管理するネットワーク区間（ＳＧｉインタフェース及びＰＤＮ２）に対応するＰＤＮ内ベアラの再設定要求がＵＥ１０から受信された場合、該再設定要求に応じて、ＰＤＮ内ベアラの再設定処理を行う。具体的には、ＡＰＮ再設定部５２は、ＰＤＮ内ベアラの再設定処理として、ＡＰＮ（Ａｃｃｅｓｓ  Ｐｏｉｎｔ  Ｎａｍｅ）の再設定処理を行う。
【００５５】
＜移動通信システムの動作＞
次に、図４乃至図７を参照し、以上のように構成された第１の実施形態に係る移動通信システムの動作について説明する。
【００５６】
（１）エンド・ツー・エンドのサービス品質の改善動作
第１に、ＵＥ１０によるエンド・ツー・エンドのサービス品質の改善動作を説明する。図４は、ＵＥ１０によるサービス品質の改善動作を示すフローチャートである。なお、図４に示すフローは、ＵＥ１０において、所定の時間間隔で繰り返されるものとする。また、以下では、エンド・ツー・エンドのサービス品質の劣化が、ＵＥ１０ａにおいて検出された場合を説明するが、ＵＥ１０ｂにおいて検出された場合も同様の動作を行う。
【００５７】
図４に示すように、ＵＥ１０ａの品質劣化検出部１２は、ＵＥ１０ａのユーザの体感品質（ＱｏＥ）が所定レベルよりも劣化したか否かを判断する（ステップＳ１０１）。上述のように、品質劣化検出部１２は、例えば、ユーザの視覚や聴覚（例えば、ユーザによる品質劣化ボタンの押下）と、メディア信号の歪みやノイズなどのメディア品質との少なくとも１つに基づいて、ユーザの体感品質の劣化を検出する。
【００５８】
ユーザの体感品質が所定レベルよりも劣化していない場合（ステップＳ１０１；Ｎｏ）、サービス品質の改善動作を行う必要がないため、本動作は終了する。
【００５９】
ユーザの体感品質が所定レベルよりも劣化した場合（ステップＳ１０１；Ｙｅｓ）、品質劣化検出部１２は、ＵＥ１０ａとＵＥ１０ｂとの間のエンド・ツー・エンドのネットワーク品質（ＱｏＳ）が所定レベルよりも劣化したか否かを判断する（ステップＳ１０２）。上述のように、品質劣化検出部１２は、例えば、パケット誤り率（ＰＥＲ）、遅延時間、ジッタ、ＲＳＳＩ、ＳＮＲの少なくとも１つに基づいて、エンド・ツー・エンドでのネットワーク品質の劣化を検出する。
【００６０】
エンド・ツー・エンドのネットワーク品質が所定レベルよりも劣化した場合（ステップＳ１０２；Ｙｅｓ）、劣化区間特定部１３は、ＥＰＳネットワーク１ａ及び１ｂ、ＰＤＮ２を構成する複数のネットワーク区間の中から、エンド・ツー・エンドのサービス品質の劣化の原因となった品質劣化区間を特定する（ステップＳ１０３）。品質制御要求部１４は、劣化区間特定部１３によって特定された品質劣化区間を構成するネットワーク装置に対して、当該品質劣化区間のネットワーク品質の改善処理を要求する（ステップＳ１０４）。
【００６１】
一方、エンド・ツー・エンドのネットワーク品質が所定レベルよりも劣化していない場合（ステップＳ１０２；Ｎｏ）、エンド・ツー・エンドのサービス品質の劣化は、ＵＥ１０ａ又は相手先のＵＥ１０ｂに起因するものであると判断される。したがって、品質制御要求部１４は、ＵＥ１０ａならびに相手先のＵＥ１０ｂに対して、各ＵＥ１０内におけるサービス品質の改善処理（例えば、コーデック処理のパラメータ変更）を要求する（ステップＳ１０５）。
【００６２】
（２）品質劣化区間の特定動作
次に、図５及び６を参照して、図４のステップＳ１０３及びＳ１０４におけるＵＥ１０ａの品質劣化区間の特定動作を説明する。図５及び６は、ＵＥ１０ａによる品質劣化区間の特定動作を示すフローチャート及びシーケンス図である。
【００６３】
図５及び６に示すように、ＵＥ１０ａの劣化区間特定部１３は、ＵＥ１０ａとｅＮＢ２０ａとの間のＬＴＥ−Ｕｕインタフェースのネットワーク品質が所定レベルよりも劣化しているか否かを判断する（ステップＳ２０１）。例えば、劣化区間特定部１３は、ＵＥ１０ａにおけるＲＳＳＩ、ＳＮＲなどが所定閾値以下である場合、ＬＴＥ−Ｕｕインタフェースにおけるネットワーク品質が所定レベルよりも劣化していると判断する。
【００６４】
ＬＴＥ−Ｕｕインタフェースのネットワーク品質が劣化していると判断された場合（ステップＳ２０１；Ｙｅｓ）、劣化区間特定部１３は、ＬＴＥ−Ｕｕインタフェースを品質劣化区間として特定し、品質制御要求部１４は、ＭＭＥ３０に対して、ＬＴＥ−Ｕｕインタフェースに対応する無線ベアラの再設定を要求する（ステップＳ２０２）。なお、無線ベアラの再設定処理については、図７（ａ）を参照して後述する。
【００６５】
ＬＴＥ−Ｕｕインタフェースのネットワーク品質が劣化していないと判断された場合（ステップＳ２０１；Ｎｏ）、劣化区間特定部１３は、品質劣化区間を特定するために、ｅＮＢ２０ａに対して、ｅＮＢ２０ａとＳ−ＧＷ４０ａとの間のＳ１−Ｕインタフェースのネットワーク品質の測定を要求する（ステップＳ２０３）。
【００６６】
ｅＮＢ２０の品質測定部２２は、ＵＥ１０ａからの測定要求に応じてＳ１−Ｕインタフェースのネットワーク品質を測定し、測定結果をＵＥ１０ａに通知する。ＵＥ１０ａの劣化区間特定部１３は、ｅＮＢ２０ａから通知されたＳ１−Ｕインタフェースのネットワーク品質が所定レベルよりも劣化しているか否かを判断する（ステップＳ２０４）。例えば、劣化区間特定部１３は、Ｓ１−Ｕインタフェースのネットワーク品質として通知されたパケット誤り率、遅延時間、ジッタなどが所定閾値以下である場合、Ｓ１−Ｕインタフェースのネットワーク品質が所定レベルよりも劣化していると判断する。
【００６７】
Ｓ１−Ｕインタフェースのネットワーク品質が劣化していると判断された場合（ステップＳ２０４；Ｙｅｓ）、ＵＥ１０ａの劣化区間特定部１３は、Ｓ１−Ｕインタフェースを品質劣化区間として特定し、品質制御要求部１４は、ＭＭＥ３０ａに対して、Ｓ１−Ｕインタフェースに対応するＳ１ベアラの再設定を要求する（ステップＳ２０５）。なお、Ｓ１ベアラの再設定処理については、図７（ｂ）を参照して後述する。
【００６８】
Ｓ１−Ｕインタフェースのネットワーク品質が劣化していないと判断された場合（ステップＳ２０４；Ｎｏ）、劣化区間特定部１３は、品質劣化区間を特定するために、Ｓ−ＧＷ４０ａに対して、Ｓ−ＧＷ４０ａとＰ−ＧＷ５０ａとの間のＳ５／Ｓ８インタフェースのネットワーク品質の測定を要求する（ステップＳ２０６）。
【００６９】
Ｓ−ＧＷ４０ａの品質測定部４２は、ＵＥ１０ａからの測定要求に応じてＳ５／Ｓ８インタフェースのネットワーク品質を測定し、測定結果をＵＥ１０ａに通知する。ＵＥ１０ａの劣化区間特定部１３は、Ｓ−ＧＷ４０ａから通知されたＳ５／Ｓ８インタフェースのネットワーク品質が所定レベルよりも劣化しているか否かを判断する（ステップＳ２０７）。例えば、劣化区間特定部１３は、Ｓ５／Ｓ８インタフェースのネットワーク品質として通知されたパケット誤り率、遅延時間、ジッタなどが所定閾値以下である場合、Ｓ５／Ｓ８インタフェースのネットワーク品質が所定レベルよりも劣化していると判断する。
【００７０】
Ｓ５／Ｓ８インタフェースのネットワーク品質が劣化していると判断された場合（ステップＳ２０７；Ｙｅｓ）、ＵＥ１０ａの劣化区間特定部１３は、Ｓ５／Ｓ８インタフェースを品質劣化区間として特定し、品質制御要求部１４は、ＭＭＥ３０ａに対して、Ｓ５／Ｓ８インタフェースに対応するＳ５／Ｓ８ベアラの再設定を要求する（ステップＳ２０８）。なお、Ｓ５／Ｓ８ベアラの再設定処理については、図７（ｃ）を参照して後述する。
【００７１】
Ｓ５／Ｓ８インタフェースのネットワーク品質が劣化していないと判断された場合（ステップＳ２０７；Ｎｏ）、劣化区間特定部１３は、自端末（ＵＥ１０ａ）が属するＥＰＳネットワーク１ａには品質劣化区間が存在しないと判断し、相手先のＵＥ１０ｂに対して、ＵＥ１０ｂが属するＥＰＳネットワーク１ｂ内の品質劣化区間の特定を要求する（ステップＳ２０９）。
【００７２】
ＵＥ１０ｂは、ＵＥ１０ａからの要求に応じて、ステップＳ２０１〜Ｓ２０８と同様の手順で、ＵＥ１０ｂが属するＥＰＳネットワーク１ｂにおける品質劣化区間の特定動作を行う（ステップＳ２１０〜Ｓ２１７）。ＥＰＳネットワーク１ｂのＳ５／Ｓ８インタフェースのネットワーク品質が劣化していないとの判断された場合（ステップＳ２１６；Ｎｏ）、ＵＥ１０ｂは、ＵＥ１０ａに対して、ＥＰＳネットワーク１ｂ内に品質劣化区間が存在しないことを通知する（ステップＳ２１８）。
【００７３】
ＵＥ１０ａの劣化区間特定部１３は、ＵＥ１０ｂからの通知に応じて、Ｐ−ＧＷ５０ａに対して、ＰＤＮ２に対応するＰＤＮ内ベアラの再設定を要求する（ステップＳ２１９）。具体的には、ＵＥ１０ａは、Ｐ−ＧＷ５０ａに対して、ＡＰＮの再設定を要求することによって、ＰＤＮ区間に対応するＰＤＮ内ベアラの再設定を要求する。なお、ＰＤＮ内ベアラの再設定処理については、図７（ｄ）を参照して後述する。
【００７４】
（３）品質劣化区間の品質改善動作
次に、図７を参照して、図５のステップＳ２０２、Ｓ２０５、Ｓ２０８におけるＵＥ１０ａによる品質改善動作を説明する。図７（ａ）は、ＬＴＥ−Ｕｕインタフェースのネットワーク品質の改善動作、図７（ｂ）は、Ｓ１−Ｕインタフェースのネットワーク品質の改善動作、図７（ｃ）は、Ｓ５／Ｓ８インタフェースのネットワーク品質の改善動作、図７（ｄ）は、ＰＤＮ２のネットワーク品質の改善動作を示すシーケンス図である。なお、図５のステップＳ２１１、Ｓ２１４、Ｓ２１７におけるＵＥ１０ｂによる品質改善動作は、ステップＳ２０２、Ｓ２０５、Ｓ２０８と同様である。
【００７５】
図７（ａ）に示すように、ＵＥ１０ａの品質制御要求部１４は、ＥＰＳネットワーク１ａのＬＴＥ−Ｕｕインタフェースが品質劣化区間として特定された場合、ＭＭＥ３０ａに対して、無線ベアラの再設定を要求する（ステップＳ３０１）。ＭＭＥ３０ａの品質制御部３２は、ＵＥ１０ａからの要求に応じて、ｅＮＢ２０ａに対して、無線ベアラの再設定を要求する（ステップＳ３０２）。ｅＮＢ２０ａのベアラ再設定部２３は、ＭＭＥ３０ａからの要求に応じて、ＵＥ１０ａとの間で無線ベアラの再設定処理を行う（ステップＳ３０３）。ベアラ再設定部２３は、無線ベアラの再設定処理が完了すると、その旨をＭＭＥ３０ａに通知する（ステップＳ３０４）。ＭＭＥ３０ａの品質制御部３２は、ｅＮＢ２０ａからの通知に応じて、無線ベアラの再設定が完了したことをＵＥ１０ａに通知する（ステップＳ３０５）。
【００７６】
図７（ｂ）に示すように、ＵＥ１０ａの品質制御要求部１４は、ＥＰＳネットワーク１ａのＳ１インタフェースが品質劣化区間として特定された場合、ＭＭＥ３０ａに対して、Ｓ１ベアラの再設定を要求する（ステップＳ４０１）。ＭＭＥ３０ａの品質制御部３２は、ＵＥ１０ａからの要求に応じて、Ｓ−ＧＷ４０ａに対して、Ｓ１ベアラの再設定を要求する（ステップＳ４０２）。Ｓ−ＧＷ４０ａのベアラ再設定部４３は、ＭＭＥ３０ａからの要求に応じて、ｅＮＢ２０ａとの間でＳ１ベアラの再設定処理を行う（ステップＳ４０３）。ベアラ再設定部４３は、Ｓ１ベアラの再設定処理が完了すると、その旨をＭＭＥ３０ａに通知する（ステップＳ４０４）。ＭＭＥ３０ａの品質制御部３２は、Ｓ−ＧＷ４０ａからの通知に応じて、Ｓ１ベアラの再設定が完了したことをＵＥ１０ａに通知する（ステップＳ４０５）。
【００７７】
図７（ｃ）に示すように、ＵＥ１０ａの品質制御要求部１４は、ＥＰＳネットワーク１ａのＳ５／Ｓ８インタフェースが品質劣化区間として特定された場合、ＭＭＥ３０ａに対して、Ｓ５／Ｓ８ベアラの再設定を要求する（ステップＳ５０１）。ＭＭＥ３０ａの品質制御部３２は、ＵＥ１０ａからの要求に応じて、Ｓ−ＧＷ４０ａに対して、Ｓ５／Ｓ８ベアラの再設定を要求する（ステップＳ５０２）。Ｓ−ＧＷ４０ａのベアラ再設定部４３は、ＭＭＥ３０ａからの要求に応じて、Ｐ−ＧＷ５０ａとの間でＳ５／Ｓ８ベアラの再設定処理を行う（ステップＳ５０３）。ベアラ再設定部４３は、Ｓ５／Ｓ８ベアラの再設定処理が完了すると、その旨をＭＭＥ３０ａに通知する（ステップＳ５０４）。ＭＭＥ３０ａの品質制御部３２は、Ｓ−ＧＷ４０ａからの通知に応じて、Ｓ５／Ｓ８ベアラの再設定が完了したことをＵＥ１０ａに通知する（ステップＳ５０５）。
【００７８】
図７（ｄ）に示すように、ＵＥ１０ａの品質制御要求部１４は、ＥＰＳネットワーク１ａ及び１ｂで品質劣化区間が特定されなかった場合、Ｐ−ＧＷ５０ａに対して、ＡＰＮの再設定を要求する（ステップＳ６０１）。Ｐ−ＧＷ５０ａのＡＰＮ再設定部５２は、ＵＥ１０ａからの要求に応じて、Ｐ−ＧＷ５０ｂとの間で、ＡＰＮの再設定処理を行い、再設定されたＡＰＮに基づいてＰＤＮ内ベアラの再設定処理を行う（ステップＳ６０２）。ＡＰＮ再設定部５２は、ＰＤＮ内ベアラの再設定処理が完了すると、その旨をＵＥ１０ａに通知する（ステップＳ６０３）。
【００７９】
＜作用・効果＞
本実施形態に係る移動通信システムによれば、ＥＰＳネットワーク１ａ及び１ｂとＰＤＮ２とを介して、ＵＥ１０ａ及び１０ｂ間のパケット通信を行う場合に、ＵＥ１０ａにおいて、エンド・ツー・エンドのサービス品質が所定レベルよりも劣化したことが検出された場合、ＥＰＳネットワーク１ａ及び１ｂとＰＤＮ２とを構成する複数のネットワーク区間の中から、当該サービス品質の劣化の原因となった品質劣化区間を特定し、該品質劣化区間の品質改善処理を行うことができるので、ＵＥ１０ａ主導でエンド・ツー・エンドのサービス品質を改善することができる。
【００８０】
［第２の実施形態］
次に、第２の実施形態に係る移動通信システムについて、第１の実施形態との相違点を中心に説明する。第２の実施形態では、ＵＥ１０の品質劣化検出部１２が、ＵＥ１０のユーザの体感品質（ＱｏＥ）とエンド・ツー・エンドのネットワーク品質（ＱｏＳ）とをより詳細に検出し、詳細な検出結果に基づいて、エンド・ツー・エンドのサービス品質の改善動作を行う点で第１の実施形態と異なる。
【００８１】
図８を参照し、第２の実施形態に係るＵＥ１０によるエンド・ツー・エンドのサービス品質の改善動作を説明する。図８は、ＵＥ１０によるエンド・ツー・エンドのサービス品質の改善動作を示すフローチャートである。なお、図８のフローは、ＵＥ１０において所定の時間間隔で行われるものとする。また、以下では、エンド・ツー・エンドでのサービス品質の劣化が、ＵＥ１０ａにおいて検出された場合を説明するが、ＵＥ１０ｂにおいて検出された場合も同様の動作を行うことができる
【００８２】
図８に示すように、ＵＥ１０ａの品質劣化検出部１２は、ＵＥ１０ａのユーザの視覚や聴覚に基づく体感品質（サービスレベルＱｏＥ）が所定レベルよりも劣化したか否かを判断する（ステップＳ７０１）。例えば、品質劣化検出部１２は、ＵＥ１０ａに設けられた品質劣化ボタンがユーザによって押下された場合、当該体感品質の劣化を検出する。
【００８３】
ユーザの視覚や聴覚に基づく体感品質（サービスレベルＱｏＥ）が所定レベルよりも劣化していない場合（ステップＳ７０１；Ｎｏ）、サービス品質の改善動作を行う必要がないため、本動作は終了する。
【００８４】
一方、ユーザの視覚や聴覚に基づく体感品質（サービスレベルＱｏＥ）が所定レベルよりも劣化した場合（ステップＳ７０１；Ｙｅｓ）、品質劣化検出部１２は、メディア信号の歪みやノイズなどのメディア品質に基づくユーザの体感品質（メディアレベルＱｏＥ）が所定レベルよりも劣化したか否かを判断する（ステップＳ７０２）。品質劣化検出１２は、例えば、メディア品質を示すメディア信号の歪みやノイズなどが所定閾値よりも低下した場合、当該体感品質の劣化を検出する。
【００８５】
メディア品質に基づくユーザの体感品質（メディアレベルＱｏＥ）が所定レベルよりも劣化していない場合（ステップＳ７０２；Ｎｏ）、ＵＥ１０ａにおけるエンド・ツー・エンドのサービス品質の劣化は、ＵＥ１０ａ又は相手先のＵＥ１０ｂにおけるコーデック性能に起因するものであると判断される。したがって、品質制御要求部１４は、ＵＥ１０ａならびに相手先のＵＥ１０ｂに対して、各ＵＥ１０内におけるコーデック処理のパラメータ変更を要求する（ステップＳ７０３）。
【００８６】
メディア品質に基づくユーザの体感品質（メディアレベルＱｏＥ）が所定レベルよりも劣化した場合（ステップＳ７０２；Ｙｅｓ）、品質劣化検出部１２は、相手先のＵＥ１０ｂとの間の有線区間のネットワーク品質を示す有線ネットワーク品質（ネットワークＱｏＳ）が所定レベルよりも劣化したか否かを判断する（ステップＳ７０４）。例えば、品質劣化検出部１２は、パケット誤り率、遅延時間、ジッタなどが所定レベルよりも劣化した場合、当該有線ネットワーク品質の劣化を検出する。
【００８７】
有線ネットワーク品質（ネットワークＱｏＳ）が所定レベルよりも劣化していない場合（ステップＳ７０４；Ｎｏ）、ＵＥ１０ａにおけるエンド・ツー・エンドのサービス品質の劣化は、ＵＥ１０ａ又は相手先のＵＥ１０ｂにおけるコーデック時のエラーに起因するものであると判断される。したがって、品質制御要求部１４は、ＵＥ１０ａならびに相手先のＵＥ１０ｂに対して、各ＵＥ１０内におけるコーデック処理のパラメータ変更を要求する（ステップＳ７０５）。
【００８８】
有線ネットワーク品質（ネットワークＱｏＳ）が所定レベルよりも劣化した場合（ステップＳ７０４；Ｙｅｓ）、品質劣化検出部１２は、相手先のＵＥ１０ｂとの間の無線区間のネットワーク品質を示す無線ネットワーク品質（ワイヤレスＱｏＳ）が所定レベルよりも劣化したか否かを判断する（ステップＳ７０６）。例えば、品質劣化検出部１２は、ＲＳＳＩ、ＳＮＲなどが所定閾値よりも低下した場合、当該無線ネットワーク品質の劣化を検出する。
【００８９】
無線ネットワーク品質（ワイヤレスＱｏＳ）が所定レベルよりも劣化した場合（ステップＳ７０６；Ｙｅｓ）、ＵＥ１０ａにおけるエンド・ツー・エンドのサービス品質の劣化は、有線区間又は無線区間のいずれのネットワーク品質に起因するものであるかを特定できない。したがって、劣化区間特定部１３は、ＥＰＳネットワーク１ａ及び１ｂ、ＰＤＮ２を構成する複数のネットワーク区間の全ての中から、品質劣化区間を特定し、特定された品質劣化区間のネットワーク品質の改善処理を要求する（ステップＳ７０７）。なお、品質劣化区間の特定動作、品質改善動作については、図５乃至７で述べた通りである。
【００９０】
一方、無線ネットワーク品質（ワイヤレスＱｏＳ）が所定レベルよりも劣化していない場合（ステップＳ７０６；Ｎｏ）、ＵＥ１０ａにおけるエンド・ツー・エンドのサービス品質の劣化は、有線区間のネットワーク品質に起因するものであると判断される。したがって、劣化区間特定部１３は、ＥＰＳネットワーク１ａ及び１ｂ、ＰＤＮ２を構成する複数のネットワーク区間のうちの有線区間の中から、品質劣化区間を特定し、特定された品質劣化区間のネットワーク品質の改善処理を要求する（ステップＳ７０８）。
【００９１】
第２の実施形態に係る移動通信システムによれば、ＵＥ１０ａの品質劣化検出部１２が、エンド・ツー・エンドのサービス品質として、ユーザの体感品質に加えて、無線区間の無線ネットワーク品質、有線区間の有線ネットワーク品質の劣化を検出できるので、品質劣化区間の特定に係る劣化区間特定部１３の処理負荷を軽減できる。具体的には、ユーザの体感品質及び有線ネットワーク品質の劣化が検出されても、無線ネットワーク品質の劣化が検出されない場合、ＥＰＳネットワーク１ａ及び１ｂとＰＤＮ２とを構成する複数のネットワーク区間のうちの有線区間の中から、当該サービス品質の劣化の原因となった品質劣化区間を特定できるので、品質劣化区間の特定に係る処理負荷を軽減できる。
【００９２】
［その他の実施形態］
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９３】
１、１ａ、１ｂ…ＥＰＳネットワーク、２…ＰＤＮ、３、３ａ、３ｂ…Ｅ−ＵＴＲＡＮ、４、４ａ、４ｂ…ＥＰＣネットワーク、１０、１０ａ、１０ｂ…ＵＥ、２０、２０ａ、２０ｂ…ｅＮＢ、３０、３０ａ、３０ｂ…ＭＭＥ、４０、４０ａ、４０ｂ…Ｓ−ＧＷ、５０、５０ａ、５０ｂ…Ｐ−ＧＷ、６０、６０ａ、６０ｂ…ＥＲ、１１…無線通信部、１２…品質劣化検出部、１３…劣化区間特定部、１４…品質制御要求部、２１…通信部、２２…品質測定部、２３…ベアラ再設定部、３１…通信部、３２…品質制御部、４１…通信部、４２…品質測定部、４３…ベアラ再設定部、５１…通信部、５２…ＡＰＮ再設定部
【図１】
2011172063.tif 000003
【図２】
2011172063.tif 000004
【図３】
2011172063.tif 000005
【図４】
2011172063.tif 000006
【図５】
2011172063.tif 000007
【図６】
2011172063.tif 000008
【図７】
2011172063.tif 000009
【図８】
2011172063.tif 000010